(57)【特許請求の範囲】
【請求項１】
片面側に粘着層を設けた絶縁ベースシートと、前記絶縁ベースシートの粘着層上に少なくとも２分割で貼り付けられたメイン離型紙と当該メイン離型紙より粘着領域が小さいサブ離型紙からなり、前記メイン離型紙が非粘着状態の折返片を有することを特徴とする絶縁用カバーシート。
【請求項２】
前記メイン離型紙の折返片が、メイン離型紙の延長部分からなり、かつ、前記サブ離型紙との隣接境界部分から折られていることを特徴とする請求項１記載の絶縁用カバーシート。
【請求項３】
前記メイン離型紙の折返片が、前記絶縁ベースシートの粘着範囲外に延びる引張部を有することを特徴とする請求項１又は２記載の絶縁用カバーシート。
【請求項４】
前記メイン離型紙が、２以上であることを特徴とする請求項１、２又は３記載の絶縁用カバーシート。
【請求項５】
前記サブ離型紙が、引剥部を有することを特徴とする請求項１、２、３又は４記載の絶縁用カバーシート。
【発明の詳細な説明】
【技術分野】
【０００１】
本発明は、電線などの接続部分や口出し部分などに被せて絶縁被覆するための絶縁用カバーシートに関するものである。
【背景技術】
【０００２】
電線などの接続部分にあっては、接続後、適当な絶縁処理を施すことが必要となる。このため、従来から、その接続部分に対応した専用タイプなどの絶縁用カバーが提供されている（特許文献１〜２）。
【特許文献１】実開昭５７−０７３８９６号
【特許文献２】実公平０６−０３１６１３号
【０００３】
しかし、より一般的なものとしては、例えば図８に示すように、片面側に粘着層２を設けた矩形の絶縁ベースシート１とこの絶縁ベースシート１の粘着層２上に離型紙３を設けたもの（絶縁用カバーシート）が提案されている。
この絶縁用カバーシートＳは、その使用時、離型紙３を剥ぎ取り、例えば図９に示すような、電線（ケーブル：撚り線）５において、作業対象の電線５ａを取り出して、図１０に示すような、その接続部分５ｂに被覆するには、絶縁用カバーシートＳの一側縁部側を、粘着層２により、貼り付け、この後、残りの絶縁用カバーシートＳを巻き付けるようにして被覆している。
【発明の開示】
【発明が解決しようとする課題】
【０００４】
ところが、上記のように、予め離型紙３を粘着層２の全面に渡って剥ぎ取ると、巻き付け作業時、この粘着層２が、他の電線側に接着したり、シートが折れ曲がる形で粘着層２同士が接着するなどの問題があった。このような不測の接着があると、接着し直したりする必要があるわけであるが、これがなかなか剥がれなかったりして、結構面倒であった。また、粘着層２同士が接着した場合には、粘着層同士の強力な接着力により、剥離困難となって、シート自体を破棄しなければならないことも多々あった。いずれにしても、これらの事態が生じると、作業性の大幅な低下は避けられなかった。
【０００５】
本発明は、このような従来の問題点に鑑みてなされたもので、少なくとも離型紙部分を２分割して、メイン離型紙とサブ離型紙とし、メイン離型紙側に折返片を設けることにより、上記したような従来の問題点を解消するようにした絶縁用カバーシートを提供するものである。
【課題を解決するための手段】
【０００６】
請求項１記載の本発明は、片面側に粘着層を設けた絶縁ベースシートと、前記絶縁ベースシートの粘着層上に少なくとも２分割で貼り付けられたメイン離型紙と当該メイン離型紙より粘着領域が小さいサブ離型紙からなり、前記メイン離型紙が非粘着状態の折返片を有することを特徴とする絶縁用カバーシートにある。
【０００７】
請求項２記載の本発明は、前記メイン離型紙の折返片が、メイン離型紙の延長部分からなり、かつ、前記サブ離型紙との隣接境界部分から折られていることを特徴とする請求項１記載の絶縁用カバーシートにある。
【０００８】
請求項３記載の本発明は、前記メイン離型紙の折返片が、前記絶縁ベースシートの粘着範囲外に延びる引張部を有することを特徴とする請求項１又は２記載の絶縁用カバーシートにある。
【０００９】
請求項４記載の本発明は、前記メイン離型紙が、２以上であることを特徴とする請求項１、２又は３記載の絶縁用カバーシートにある。
【００１０】
請求項５記載の本発明は、前記サブ離型紙が、引剥部を有することを特徴とする請求項１、２、３又は４記載の絶縁用カバーシートにある。
【発明の効果】
【００１１】
本発明の絶縁用カバーシートによると、以下のような効果が得られる。
使用にあたって、先ず、粘着領域の小さいサブ離型紙を先に剥ぎ取り、その粘着層を、被覆対象物である、電線などの接続部分の外周に接着（粘着）させて、一種の仮止め接着を行う。この後、メイン離型紙側のシート部分を、電線などの接続部分の外周に軽く添わせて、メイン離型紙の折返片を引っ張れば、メイン離型紙が剥がれ、メイン離型紙側の粘着層が、簡単に電線などの接続部分の残部外周に接着される。
つまり、仮止め接着後、メイン離型紙の折返片を引っ張ることで、簡単に所望の被覆物に絶縁被覆させることができる。このとき、サブ離型紙の粘着領域は小さく設定してあるため、その仮止め接着を、簡単かつ正確に行うことができる。また、このとき、メイン離型紙は貼り付けられたままで、非剥離状態にあるため、メイン離型紙側の粘着領域が、他の電線側などに接着したり、シートの粘着層同士が接着するなどの問題も根本的に解消される。
【発明を実施するための最良の形態】
【００１２】
図１は本発明に係る絶縁用カバーシートの一例を示したものである。
図中、絶縁用カバーシートＳ１は、片面側に粘着層２０を設けた矩形の絶縁ベースシート１０と、この絶縁ベースシート１０の粘着層２０上に２分割で貼り付けられたメイン離型紙３０とサブ離型紙４０からなる。
【００１３】
サブ離型紙４０は、図示のように、メイン離型紙３０より粘着領域が小さく（少なくともメイン離型紙の粘着領域の同等以下）してなり、本例では、絶縁ベースシート１０の図中左縁部寄りの粘着層２０上に狭い幅で貼り付けてある。
一方、メイン離型紙３０は、サブ離型紙４０の粘着領域以外の広い部分（残部）、即ち、絶縁ベースシート１０の図中左縁部途中から右縁部に掛けての粘着層２０上に幅広く貼り付けてある。このメイン離型紙３０は、粘着層２０に直接貼着される貼着部３１の他に、粘着層２０に対して、非粘着状態となる折返片３２を有する。
【００１４】
この折返片３２は、例えば、貼着部３１の延長部分で形成することが好ましく、サブ離型紙４０との隣接境界部分Ｌを起点として、折り返してある。この折返片３２の幅（長さ）は、特に限定されないが、好ましくは図示のように、絶縁ベースシート１０の粘着範囲外にまで延ばして、この延長部分を、剥離時、作業者が引っ張るための引張部３２ａとしておくとよい。
【００１５】
上記絶縁ベースシート１０の大きさは、被覆対象物、例えば電線などの接続部分や口出し部分などに被せられる矩形の大きさであればよい。その材質も特に問わないが、プラスチックフィルム、樹脂含浸や樹脂塗布による複合型の繊維地や布地、紙地、これらの単独態様の生地、さらには、ゴムシート（フィルム）、ゴム含浸やゴム塗布による複合型の繊維地や布地、紙地などであればよい。なお、絶縁ベースシート１０の形状は、上記矩形に限定されず、多少の変形矩形であってもよい。勿論用途によっては、楕円形や円形、菱形、さらには、これらの変形形状であってもよい。また、上記粘着層２０は、粘着材料の塗布層や浸漬層（粘着液槽への浸漬で形成した層）、或いは、粘着フィルム層（粘着フィルムを貼り付けた層）などとして形成する。
【００１６】
上記メインやサブの離型紙３０、４０のベース地は、通常紙地を用いるが、紙地に限定されず、例えば樹脂フィルムを用いることも可能である。このベース地の片面側には、通常粘着層２０側とは接着されない非接着性の離型層を設けるものとするが、粘着層２０側と接着されない、離型材料を混合させた混合紙地や、非接着性の樹脂フィルムの場合、離型層を省略することも可能である。
【００１７】
このようにしてなる、絶縁用カバーシートＳ１を、例えば、図２に示すように、被覆対象物である、電線５０の被覆材として使用する場合には、先ず、サブ離型紙４０を剥がす。そして、サブ離型紙４０の剥ぎ取られた粘着層２０部分を、所望の部位（例えば内部導体５１の接続部分を跨いだ左右の被覆層５２の部分間）に仮止め接着させる。
この仮止め接着は、サブ離型紙４０の剥ぎ取られた粘着層２０部分以外は、未だメイン離型紙３０が貼り付けられたままであるため、メイン離型紙３０側の粘着層２０に邪魔されることなく行うことができる。つまり、メイン離型紙３０側の粘着層２０が、他の部分に接着したり、粘着層２０同士が接着するなどの懸念は全くない。
また、仮止め接着自体も、粘着領域が狭いことから、試し感覚で気軽に行うことができる。仮に仮止め箇所が、目的の接着箇所から多少ずれても、粘着領域が狭いことで、容易に剥ぎ取って、やり直すことができる。つまり、良好な作業性が得られる。
【００１８】
この仮止め接着後は、図示のように、メイン離型紙３０が貼り付けられたままで、絶縁ベースシート１０を、電線５０の外周（内部導体５１の左右の被覆層５２の部分間）に巻き付けるようにして軽く添える。この巻き込みは、上記した仮止め接着により、適正な位置決め（位置取り）が行っているため、単に機械的に巻き添えるのみでよい。従って、この作業も、簡単に行うことができる。
【００１９】
次に、この軽く添えた状態で、メイン離型紙３０の絶縁ベースシート１０外に突出している（はみ出している）引張部３２ａを、矢印方向Ａに引っ張ればよい。
そうすると、メイン離型紙３０の折返片３２が、電線５０の外周８（被覆層５２）を滑って引き出される一方、この引き出しによって、粘着層２０に貼り付けられているメイン離型紙３０の貼着部３１も、サブ離型紙４０との隣接境界部分Ｌを起点として、剥離しつつ繰り出される
【００２０】
従って、このメイン離型紙３０の貼着部３１の繰り出しに合わせて、作業者が、外部から絶縁ベースシート１０を押圧すれば、メイン離型紙３０側の粘着層２０が、電線５０の外周に所望の形で接着される。一方、メイン離型紙３０は、折返片３２から貼着部３１へと一緒に連なって取り出される。これらの作業は、特に面倒な点はなく、簡単に行うことができる。
【００２１】
従来、離型紙を全部剥ぎ取った状態で、絶縁ベースシートを巻き付ける場合、被覆対象物の外周に綺麗に巻き添えることが難しく、シート部分に皺が生じたり、不要な空気が取り残されたりして、綺麗な接着ができないことが多かった。
しかし、上記絶縁用カバーシートＳ１の場合、メイン離型紙３０の折返片３２の引っ張りにより、貼着部３１が徐々に剥がれるため、簡単な外部からの押圧により、皺が生じたり、不要な空気が取り残されたりすることなく、綺麗な接着が得られる。つまり、接着不良の大幅な低減が期待でき、良好な作業性が得られる。
また、このとき、絶縁ベースシート１０が巻き付けられた状態で、メイン離型紙３０が取り除かれるため、作業環境からの不要な異物や埃などの侵入が効果的に防止される。
結果として、これにより、綺麗な状態の粘着層２０が確保され、この綺麗な粘着層２０により接着されるため、強固な接着力が得られる。
【００２２】
図３〜図４は、本発明に係る絶縁用カバーシートの他の例を示したものである。
図３の絶縁用カバーシートＳ２は、メイン離型紙３０が、引張部３２ａのない折返片３２からなる場合で、図４の絶縁用カバーシートＳ３は、メイン離型紙３０自体が、さらに２分割された場合である。なお、他の基本的な部分は、上記図１の絶縁用カバーシートＳ１の場合と同構成である。
【００２３】
図３の絶縁用カバーシートＳ２では、引張部３２ａがないので、図１の絶縁用カバーシートＳ１と同様、図２に示す、電線５０の被覆材として使用する場合には、サブ離型紙４０の剥ぎ取り、その仮止め接着後、絶縁ベースシート１０を、電線５０の外周に軽く巻き添えつつ、同時に、メイン離型紙３０の折返片３２を徐々に引っ張る。
これにより、メイン離型紙３０の貼着部３１が徐々に剥がれるため、作業者が貼着部３１の剥ぎ取りに合わせて、絶縁ベースシート１０を外側から押圧すれば、絶縁ベースシート１０の粘着層２０が、電線５０の外周に接着される。
この場合、図１の絶縁用カバーシートＳ１に比較して、多少慣れが必要であるが、基本的には、良好な作業性が得られる。このときは、折返片３２が引張部となる。
なお、折返片３２の長さは、絶縁ベースシート１０の粘着領域より短くとも、実用的てきには特に支障はない。
【００２４】
図４の絶縁用カバーシートＳ３の場合、折返片３２が２個（枚）あるが、それぞれの折返片３２には、引張部３２ａがあるため、図１の絶縁用カバーシートＳ１と同様、図２に示す、電線５０の被覆材として使用する場合には、図１の絶縁用カバーシートＳ１と全く同様にして、行うことができる。つまり、電線５０の内側の引張部３２ａから、次々と引っ張ることによって、簡単に接着作業を行うことができる。
なお、２枚の折返片３２にあっては、引張部３２ａのないものとの組み合わせや、引張部３２ａのないもののみとすることもできる。引張部３２ａのない折返片３２の場合は、図３の絶縁用カバーシートＳ２の場合と同時にして行えばよい。
この絶縁用カバーシートＳ３は、メイン離型紙３０側の粘着領域が、より広い（長い）場合において、有用となる。粘着領域が広いと、その分折返片３２が長くなり、１枚の折返片３２だと、それに対応して、繰り出さし長さが長くなり過ぎるため、取扱性が低下する恐れがあるからである。従って、また、３個以上とすることも可能である。
【００２５】
図５〜図７は、さらに本発明に係る絶縁用カバーシートの他の例を示したものである。これらの絶縁用カバーシートＳ４〜Ｓ６は、いずれもサブ離型紙４０の剥離性を高めるため、その一部（例えばコーナー部）に引剥部４１〜４３を設けたものである。なお、他の基本的な部分は、上記図１の絶縁用カバーシートＳ１の場合と同構成である。
引剥部４１は、粘着層２０の一部を取り除いて非粘着状態とした場合、引剥部４２は、サブ離型紙４０の一部からのミニ折返片を形状した場合、引剥部４３は、サブ離型紙４０の一部からの延長片を形成した場合である。
いずれもサブ離型紙４０の剥離にあたって、この部分を捲ったり、引っ張るなどすれば、簡単にサブ離型紙４０を剥がすことができる。従来、サブ離型紙４０の密着性が良好であるほと、サブ離型紙４０自体の剥ぎ取りが難しくなるという問題があったが、引剥部４１〜４３により、この点が解消される。
【図面の簡単な説明】
【００２６】
【図１】本発明に係る絶縁用カバーシートの一例を示した斜視図である。
【図２】図１の絶縁用カバーシートの使用態様を示した縦断面図である。
【図３】本発明に係る絶縁用カバーシートの他の例を示した斜視図である。
【図４】本発明に係る絶縁用カバーシートの他の例を示した斜視図である。
【図５】本発明に係る絶縁用カバーシートの他の例を示した部分斜視図である。
【図６】本発明に係る絶縁用カバーシートの他の例を示した部分斜視図である。
【図７】本発明に係る絶縁用カバーシートの他の例を示した部分斜視図である。
【図８】従来の絶縁用カバーシートを示した斜視図である。
【図９】図８の絶縁用カバーシートの使用態様を示した概略説明図である。
【図１０】図８の絶縁用カバーシートによる絶縁被覆部を示した側面図である。
【符号の説明】
【００２７】
Ｓ１〜Ｓ６・・・絶縁用カバーシート、１０・・・絶縁ベースシート、２０・・・粘着層、３０・・・メイン離型紙、３１・・・貼着部、３２・・・折返片、３２ａ・・・引張部、４０・・・サブ離型紙、４１〜４３・・・引剥部
【図１】
0005232499.tif 000002
【図２】
0005232499.tif 000003
【図３】
0005232499.tif 000004
【図４】
0005232499.tif 000005
【図５】
0005232499.tif 000006
【図６】
0005232499.tif 000007
【図７】
0005232499.tif 000008
【図８】
0005232499.tif 000009
【図９】
0005232499.tif 000010
【図１０】
0005232499.tif 000011